【事件の表示】
　特願２００７−１０４１７９「アクティブマトリクス基板及び液晶パネル」拒絶査定不服審判事件〔平成２０年１０月３０日出願公開、特開２００８−２６２００６〕について、次のとおり審決する。
【結　論】
　本件審判の請求は、成り立たない。
【理　由】
第１　手続の経緯・本願発明
　本願は、平成１９年４月１１日の出願であって、平成２４年３月６日付けで手続補正がなされ、同年６月１日付けで拒絶査定（以下「原査定」という。）がなされ、これに対し、同年９月３日に拒絶査定不服審判が請求されるとともに同日付けで手続補正がなされ、その後、当審において、平成２５年１月１７日付けで前置報告書の内容を示し意見を求めるための審尋を行ったところ、指定期間内に回答書は提出されなかったものである。
　
　
第２　平成２４年９月３日付けの手続補正についての補正却下の決定
［補正却下の決定の結論］
　平成２４年９月３日付けの手続補正を却下する。
　
［理由］
１　補正の内容  
　平成２４年９月３日付けの手続補正（以下「本件補正」という。）は、平成２４年３月６日付けの手続補正の請求項１として、
　
「基板上に、互いに略直交するゲート配線及びデータ配線と、前記ゲート配線に略平行な共通配線とを備え、前記ゲート配線と前記データ配線との交点近傍にスイッチング素子を備え、前記ゲート配線と前記データ配線とで囲まれる画素内に、画素電極と対向電極とが交互に配置されてなるアクティブマトリクス基板において、
　前記共通配線は、前記スイッチング素子の一方の電極に接続され、
　前記画素電極は、前記スイッチング素子の他方の電極に接続され、
　前記対向電極は、前記データ配線に接続され、前記データ配線が前記対向電極を兼ねることを特徴とするアクティブマトリクス基板。」
　
とあったものを、
　
「基板上に、互いに略直交するゲート配線及びデータ配線と、前記ゲート配線に略平行な共通配線とを備え、前記ゲート配線と前記データ配線との交点近傍にスイッチング素子を備え、前記ゲート配線と前記データ配線とで囲まれる画素内に、画素電極と対向電極とが交互に配置されてなるアクティブマトリクス基板において、
　前記共通配線は、前記スイッチング素子の一方の電極に接続され、
　前記画素電極は、前記スイッチング素子の他方の電極に接続され、
　前記対向電極は、前記データ配線に接続され、前記データ配線が前記対向電極を兼ねるものであり、
　前記画素電極は、前記ゲート配線、前記共通配線及び前記データ配線よりも上層に形成され、コンタクトホールを介して前記共通配線に接続されることを特徴とするアクティブマトリクス基板。」
　
と補正することを含むものである。
　
　本件補正は、補正前の請求項１の「画素電極」につき、「ゲート配線」、「共通配線」及び「データ配線」よりも上層に形成され、「コンタクトホール」を介して前記「共通配線」に接続される、との限定を行うものであるから、上記補正は、特許法第１７条の２第５項第２号の特許請求の範囲の減縮を目的とするものである。
　
２　独立特許要件 
　そこで、本件補正後の請求項１に係る発明（以下「本願補正発明」という。）が特許出願の際独立して特許を受けることができるものであるか（特許法第１７条の２第６項において準用する同法第１２６条第７項の規定に適合するか）について以下に検討する。
　
　本件補正後の請求項１には、「画素電極」が、…「コンタクトホール」を介して「共通配線」に接続される、と記載されている。
　しかしながら、本願補正発明の「画素電極」は、そもそも「スイッチング素子の他方の電極に接続され」るものであって、「（コンタクトホールを介して）共通配線」に接続されるようなものではないから、本件補正後の請求項１の上記記載はその意味が不明なものである。
　よって、上記記載事項を含む本願発明は明確でない。
　
　したがって、本願は、請求項１の記載が特許法第３６条第６項第２号に規定する要件を満たしていないから、本願補正発明は、特許出願の際独立して特許を受けることができないものである。
 　 
３　むすび  
　上記２のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
　
４　付言
　なお、請求人は、本件補正後の請求項１に記載された「…前記画素電極は、…コンタクトホールを介して前記共通配線に接続され」との事項につき、平成２５年４月２２日の電話連絡において、「（本件補正後の）請求項１に記載された『共通電極』は、『（スイッチング素子の）他方の電極』の誤りである」旨の回答を行っている（「応対記録」参照。）。
　そこで、本願補正発明の上記「共通電極」を、「他方の電極」に読替えた以下の発明
　
「基板上に、互いに略直交するゲート配線及びデータ配線と、前記ゲート配線に略平行な共通配線とを備え、前記ゲート配線と前記データ配線との交点近傍にスイッチング素子を備え、前記ゲート配線と前記データ配線とで囲まれる画素内に、画素電極と対向電極とが交互に配置されてなるアクティブマトリクス基板において、
　前記共通配線は、前記スイッチング素子の一方の電極に接続され、
　前記画素電極は、前記スイッチング素子の他方の電極に接続され、
　前記対向電極は、前記データ配線に接続され、前記データ配線が前記対向電極を兼ねるものであり、
　前記画素電極は、前記ゲート配線、前記共通配線及び前記データ配線よりも上層に形成され、コンタクトホールを介して前記他方の電極に接続されることを特徴とするアクティブマトリクス基板。」（以下「本願読替発明」という。）
　
が特許を受けることができるものであるかについて以下に検討して、付言する。
 　 
（１）刊行物記載の発明
　原査定の拒絶の理由に引用された、本願の出願前に頒布された刊行物である特開２０００−４７２５０号公報（以下「引用刊行物」という。）には、図とともに以下の事項が記載されている。
　
　ア　「【００１１】本発明は…、広い視野角を確保しながら高い輝度を得ることができる液晶表示パネルを提供することを目的とする。」
　
　イ　「【００１８】
【発明の実施の形態】…図１は本発明の第１の実施例に係る液晶表示パネルを示す模式図である。…
【００１９】本実施例の液晶表示パネルには、１対の偏光板を有する２枚の透明基板（図示せず）及びこれらの基板に挟持された液晶層（図示せず）が配設されている。
【００２０】また、一方の透明基板の液晶層側の面上には、相互に直交する複数本の信号線４及び複数本の共通電極線６が設けられており、隣り合う信号線４及び隣り合う共通電極線６に囲まれた領域が基本画素単位の表示部７となっている。更に、表示部７の中心部には、信号線４と同方向に延びる対向電極３が配設されている。
【００２１】そして、表示部７の一方の共通電極線６近傍には、走査線５が配設されており、この走査線５にゲートが接続された電解効果型（審決注：「電界効果型」の誤りと認める。）の薄膜トランジスタ（ＴＦＴ）１が設けられている。この薄膜トランジスタ１のドレインは共通電極線６に接続され、そのソースは対向電極３に接続されている。更に、対向電極３と一方の信号線４との間には、他方の信号線４に接続され信号線４と同方向に延びる画素電極２が設けられている。そして、対向電極３が、共通電極線６、画素電極２及び信号線４に囲まれている。
【００２２】そして、このように構成された基本画素単位が繰り返し前記一方の透明基板上に形成されている。また、信号線４、走査線５及び共通電極線６に電圧を制御しながら印加する外部回路（図示せず）がパネルの外部に設けられている。
【００２３】走査線５に印加される電圧は、画素が選択され時にオン電圧が印加されるように外部回路により制御され、即ち、薄膜トランジスタ１のオン状態とオフ状態とを切替える電圧が印加され、走査線５の電位により各画素の書込状態及び保持状態が選択される。また、共通電極線６に印加される電圧は、対向電極３の電位を制御する電圧であって画素及び表示状態に拘わらず一定であり、走査線５にオン電圧が印加されている時間と同じ時間だけ一定電位が出力され、走査線５毎に走査線５と共通電極線６との電位の関係が反転するように外部回路により制御されている。そして、信号線４に印加される電圧は、画面に表示される映像に応じて、予め印加電圧と透過率との関係から算出される電圧が各画素毎に走査線５に印加される電圧のタイミングに合わせて印加されるように外部回路により制御されている。そして、１対の画素電極２と対向電極３との電位差によりその基本画素単位の液晶層に電圧が印加される。
【００２４】次に、このように構成された本実施例の液晶表示パネルの動作について説明する。図３（ａ）は走査線５に印加される電圧を示すタイミングチャート、（ｂ）は共通電極線６に印加される電圧を示すタイミングチャート、（ｃ）は信号線４に印加される電圧を示すタイミングチャートである。
【００２５】図３（ａ）に示すように、走査線５の電位がオン電位になると、薄膜トランジスタ１がオン状態となり、対向電極３に共通電極線６の電位が供給される。これにより、共通電極線６の電位と信号線４の電位との電位差が液晶部分に印加される電圧となる。
【００２６】次に、走査線５の電位がオフ電位になると、薄膜トランジスタ１がオフ状態となり、対向電極３と共通電極線６との接続が切断され、対向電極３は電気的に開放の状態になる。従って、次に走査線５にオン電圧が印加されるまでの間、信号線４の電位が変化しても画素電極２と対向電極３との間の電圧は一定に保持される。
【００２７】このように、本実施例においては、電圧の保持状態における画素電極２の電位と信号線４の電位とが常に等しくなるため、信号線４の電位の変化が表示に及ぼす影響を防止するための配線が不要である。これにより、従来この配線が占めていた面積を表示領域として使用することが可能となり、広い開口部面積を確保することができる。また、信号線４が画素電極２と共用化されるので、従来と比して配線が占める面積をより低減し、これにより不要となった配線分の領域も開口部として利用することができる。従って、高輝度化が実現可能となる。」
　
　ウ　「【００３５】また、走査線等が透明基板上に積層される順序は図１、４又は６に示す順序に限定されるものではない。例えば、信号線よりも上層に共通電極線が設けられていてもよい。」
　
　エ　上記イ（【００１８】〜【００２０】）から、「（液晶層側の面上に、相互に直交する複数本の信号線４及び複数本の共通電極線６が設けられている）一方の透明基板」は、「１対の偏光板」及び「（当該一方の透明基板とともに２枚の透明基板を構成する）他の基板」とともに、「液晶表示パネル」を構成するものであるといえることは明らかである。
　
　オ　上記イ（【００１８】〜【００２１】）に照らして図１をみると、
　（ア）「対向電極３」は「走査線５」の上に設けられていること、
　（イ）「薄膜トランジスタ（ＴＦＴ）１」は、「一方の信号線４」と「他方の信号線４」のほぼ中央に配置されていること、
が見て取れる。
　
　上記摘記事項の記載を総合すると、引用刊行物には、以下の発明（以下「引用発明」という。）が記載されている、と認められる。
　
「１対の偏光板及び他の基板とともに液晶表示パネルを構成する一方の透明基板であって、
　当該一方の透明基板の液晶層側の面上には、相互に直交する複数本の信号線４及び複数本の共通電極線６が設けられており、隣り合う信号線４及び隣り合う共通電極線６に囲まれた領域が基本画素単位の表示部７となっており、更に、表示部７の中心部には、信号線４と同方向に延びる対向電極３が配設されており、
　表示部７の一方の共通電極線６近傍には、走査線５が配設されており、この走査線５にゲートが接続された電界効果型の薄膜トランジスタ（ＴＦＴ）１が設けられており、この薄膜トランジスタ１のドレインは共通電極線６に接続され、そのソースは対向電極３に接続されており、前記対向電極３は走査線５の上に設けられており、更に、対向電極３と一方の信号線４との間には、他方の信号線４に接続され信号線４と同方向に延びる画素電極２が設けられており、そして、対向電極３が、共通電極線６、画素電極２及び信号線４に囲まれており、前記薄膜トランジスタ（ＴＦＴ）１は、一方の信号線４と他方の信号線４のほぼ中央に配置されており、
　このように構成された基本画素単位が繰り返し前記一方の透明基板上に形成されている、一方の透明基板。」
　 
（２）対比、判断
　本願読替発明と引用発明とを対比する。
　
　ア　引用発明の「一方の透明基板」は、本願読替発明の「基板」に相当する。
　イ　引用発明は、「一方の透明基板の液晶層側の面上には、相互に直交する複数本の信号線４及び複数本の共通電極線６が設けられており、隣り合う信号線４及び隣り合う共通電極線６に囲まれた領域が基本画素単位の表示部７となっており、更に、表示部７の中心部には、信号線４と同方向に延びる対向電極３が配設されており、表示部７の一方の共通電極線６近傍には、走査線５が配設されており、この走査線５にゲートが接続された電界効果型の薄膜トランジスタ（ＴＦＴ）１が設けられており、…対向電極３と一方の信号線４との間には、…信号線４と同方向に延びる画素電極２が設けられており、…このように構成された基本画素単位が繰り返し前記一方の透明基板上に形成されている」いるものであって、「（共通電極線６近傍に配設される）走査線５」は「信号線４」と相互に直交し、また、「走査線５」と「信号線４」とで囲まれる画素内に、「対向電極３」と「画素電極２」とが交互に配置されてなるといえるから、
　（ア）引用発明の「走査線５」、「信号線４」、「共通電極線６」、「薄膜トランジスタ（ＴＦＴ）１」、「対向電極３」及び「画素電極２」は、それぞれ、本願読替発明の「ゲート配線」、「（ゲート配線と互いに略直交する）データ配線」、「（ゲート配線に略平行な）共通配線」、「スイッチング素子」、「画素電極」及び「対向電極」に相当し、
　（イ）引用発明は、本願読替発明の「基板上に、互いに略直交するゲート配線及びデータ配線と、前記ゲート配線に略平行な共通配線とを備え」との事項を備える。また、
　（ウ）引用発明の「（一方の透明基板の液晶層側の面上に、走査線５、信号線４、共通電極線６、薄膜トランジスタ（ＴＦＴ）１、対向電極３及び画素電極２が設けられた）一方の透明基板」と、本願読替発明の「基板上に、互いに略直交するゲート配線及びデータ配線と、前記ゲート配線に略平行な共通配線とを備え、前記ゲート配線と前記データ配線との交点近傍にスイッチング素子を備え、前記ゲート配線と前記データ配線とで囲まれる画素内に、画素電極と対向電極とが交互に配置されてなるアクティブマトリクス基板」とは、「基板上に、互いに略直交するゲート配線及びデータ配線と、前記ゲート配線に略平行な共通配線とを備え、スイッチング素子を備え、前記ゲート配線と前記データ配線とで囲まれる画素内に、画素電極と対向電極とが交互に配置されてなるアクティブマトリクス基板」である点で一致する。
　
　ウ　引用発明は、「薄膜トランジスタ１のドレインは共通電極線６に接続され、そのソースは対向電極３に接続されており、更に、対向電極３と一方の信号線４との間には、他方の信号線４に接続され信号線４と同方向に延びる画素電極２が設けられて」いるものであるから、本願読替発明の「前記共通配線は、前記スイッチング素子の一方の電極に接続され、前記画素電極は、前記スイッチング素子の他方の電極に接続され、前記対向電極は、前記データ配線に接続され、前記データ配線が前記対向電極を兼ねるものであり」との事項を備える。
　
　エ　引用発明は、「対向電極３」が「走査線５の上に設けられて」いるから、引用発明の「対向電極３は走査線５の上に設けられており」との事項と、本願読替発明の「前記画素電極は、前記ゲート配線、前記共通配線及び前記データ配線よりも上層に形成され」との事項とは、「前記画素電極は、前記ゲート配線よりも上層に形成され」との点で一致する。
　
　オ　したがって、両者は、 
「基板上に、互いに略直交するゲート配線及びデータ配線と、前記ゲート配線に略平行な共通配線とを備え、スイッチング素子を備え、前記ゲート配線と前記データ配線とで囲まれる画素内に、画素電極と対向電極とが交互に配置されてなるアクティブマトリクス基板において、
　前記共通配線は、前記スイッチング素子の一方の電極に接続され、
　前記画素電極は、前記スイッチング素子の他方の電極に接続され、
　前記対向電極は、前記データ配線に接続され、前記データ配線が前記対向電極を兼ねるものであり、
　前記画素電極は、前記ゲート配線よりも上層に形成されるアクティブマトリクス基板。」 
である点で一致し、以下の点において相違する。
　
　ａ　スイッチング素子が、本願読替発明では、ゲート配線とデータ配線との交点近傍に備えられるのに対し、引用発明では、一方の信号線４と他方の信号線４のほぼ中央に配置されている点（以下「相違点１」という。）。
　ｂ　画素電極が、本願読替発明では、ゲート配線、共通配線及びデータ配線よりも上層に形成され、コンタクトホールを介して（スイッチング素子の）他方の電極に接続されるのに対し、引用発明では、ゲート配線よりも上層に形成されるものの、共通配線及びデータ配線よりも上層に形成され、コンタクトホールを介して（スイッチング素子の）他方の電極に接続されるものではない点（以下「相違点２」という。）。
　
　カ　上記相違点につき検討する。
　（ア）相違点１について
　透明基板の液晶層側の面上に、相互に直交する複数本の信号線、及び、当該複数本の信号線と相互に直交する複数本の走査線・共通電極線が設けられ、前記複数本の走査線と複数本の信号線に薄膜トランジスタ（スイッチング素子）を接続してなるアクティブマトリクス基板において、当該走査線と信号線との交点近傍に前記薄膜トランジスタを配置するようにしたものは本願の出願時点で周知であるから（必要なら、引用刊行物の図７とその説明参照。）、引用発明において、「（一方の信号線４と他方の信号線４のほぼ中央に配置されている）薄膜トランジスタ（ＴＦＴ）１」を、「走査線５」と例えば「他方の信号線４」との交点近傍に配置して、上記相違点１に係る本願読替発明の構成となすことは当業者が容易になし得ることである。
　
　（イ）相違点２について
　引用刊行物には、「走査線等が透明基板上に積層される順序は図１、４又は６に示す順序に限定されるものではない。例えば、信号線よりも上層に共通電極線が設けられていてもよい。」と記載され（上記（１）ウ（【００３５】））、走査線、共通電極線等の各電極線の積層順序を適宜変更できることが示唆されている。しかるところ、ガラス基板等の透明基板上に、複数本の信号線、複数本の走査線及び複数本の共通電極線が設けられ、前記複数本の走査線と複数本の信号線との交点近傍に薄膜トランジスタを備えてなるアクティブマトリクス基板において、該薄膜トランジスタに接続された画素電極（引用発明の「対向電極３」に相当。）を、前記複数本の走査線、複数本の共通電極線及び複数本の信号線よりも上層に形成してなるものは本願の出願時点で周知であるから（例えば、特開平９−２５８２４２号公報（図１、図２とその説明）、特開平１０−３０９２号公報（図３、図４とその説明）、特開平１０−４８６７０号公報（図１、図２とその説明）等参照。）、引用発明において、「（薄膜トランジスタ１のソースに接続された）対向電極３」を、「走査線５」、「共通電極線６」及び「信号線４」よりも上層に形成し、該「対向電極３」と「薄膜トランジスタ１のソース」との接続をコンタクトホールを介して行い、その結果、上記相違点２に係る本願読替発明の構成となすことは当業者が容易になし得ることである。
　
　そして、本願読替発明によってもたされる効果は、引用発明、引用刊行物の上記記載事項及び上記周知の技術から当業者が予測し得る程度のものである。
　
　よって、本願読替発明は、引用発明、引用刊行物の記載事項及び周知の技術に基づいて当業者が容易に発明をすることができたものであるから、特許法第２９条第２項の規定により、特許出願の際独立して特許を受けることができないものである。
　
（３）付言のまとめ
　以上のとおり、本願読替発明は特許を受けることができないものであるから、本件補正後の請求項１の上記「共通電極」が「（スイッチング素子の）他の電極」の誤りであるとしても、これを受け入れる余地はない。
　
　
第３　本願発明について
１　本願発明
　本件補正は上記第２のとおり却下されたので、本願の請求項に係る発明は、平成２４年３月６日付け手続補正によって補正された明細書及び図面の記載からみて、その特許請求の範囲の請求項１〜９に記載されたものであるところ、その請求項１に係る発明（以下「本願発明」という。）は、上記第２の１において本件補正前のものとして記載したとおりのものである。
　
２　刊行物記載の発明
　原査定の拒絶の理由に引用された、本願の出願前に頒布された刊行物である特開２０００−４７２５０号公報（引用刊行物）には、上記第２の４（１）において摘記した事項が記載されている。
　
３　対比・判断
　本願発明は、前記第２の４で検討した本願読替発明から、「前記画素電極は、前記ゲート配線、前記共通配線及び前記データ配線よりも上層に形成され、コンタクトホールを介して前記他方の電極に接続される」との事項を省いたものである。そうすると、本願発明の発明特定事項をすべて含み、さらに限定を付加したものに相当する本願読替発明が、上記第２の４（２）に記載したとおり、引用発明、引用刊行物の記載事項及び周知の技術に基づいて当業者が容易に発明することができたものであるから、本願発明も同様の理由により、引用発明、引用刊行物の記載事項及び周知の技術に基づいて当業者が容易に発明をすることができたものである。
　
４．むすび
　以上のとおり、本願発明は、引用発明、引用刊行物の記載事項及び周知の技術に基づいて当業者が容易に発明をすることができたものであるから、特許法第２９条第２項の規定により特許を受けることができない。
　
　よって、結論のとおり審決する。